(57)【要約】【課題】機器のパネル剥がしに用いられるパネル剥がし治具及びパネル剥がし方法に関し、作業効率、作業性の安定化、作業の安全性を高めることにある。【解決手段】治具本体（４）に設置される携帯電話機（６）等の機器のパネル（１０）と機器本体（筐体部１６）との間の接着部分にスライサ（３８、剥離刃７６）を食い込ませ、パネル（１０）に沿ってガイドレール（３２）上を移動させることにより、機器（携帯電話機６）からパネル（１０）を剥離させ、機器本体（筐体部１６）からパネル（１０）を離脱させる。【選択図】図１
2008304844.tif 000002
【特許請求の範囲】
【請求項１】
機器のパネル剥がしに用いられるパネル剥がし治具であって、
パネルを備える機器を設置する治具本体と、
前記治具本体に設置される前記機器の前記パネルの周縁の少なくとも一部に沿って前記治具本体に形成されたガイドレールと、
前記治具本体に設置された前記機器の前記パネルと機器本体側との間に食い込ませて前記ガイドレール上を移動し、前記機器から前記パネルを剥離させるスライサと、
を備えることを特徴とするパネル剥がし治具。
【請求項２】
請求項１のパネル剥がし治具において、
前記スライサは、前記ガイドレールを移動させる軸部に回転可能な剥離刃を備えることを特徴とするパネル剥がし治具。
【請求項３】
請求項１のパネル剥がし治具において、
治具本体に設置された機器に重ねられて前記治具本体に固定され、前記機器を前記治具本体上に拘束させる拘束治具を備えることを特徴とするパネル剥がし治具。
【請求項４】
請求項１のパネル剥がし治具において、
治具本体に設置された前記機器の前記パネル上に接着して固定され、前記パネル上に線状の支点を備えて前記パネルに剥離力を付与し、前記スライサを食い込ませる部分の前記パネルの一部を前記機器本体から剥離させる補助治具を備えることを特徴とするパネル剥がし治具。
【請求項５】
機器のパネル剥がしに用いられるパネル剥がし方法であって、
請求項１、請求項２、請求項３又は請求項４に記載のパネル剥がし治具を用いて前記機器からパネルを剥がす工程を含むことを特徴とするパネル剥がし方法。
【発明の詳細な説明】
【技術分野】
【０００１】
本発明は、携帯電話機等の機器からＬＣＤ（Liquid Crystal Display）保護パネル等のパネル剥がしに用いられるパネル剥がし治具及びパネル剥がし方法に関する。
【背景技術】
【０００２】
携帯電話機等のＬＣＤが搭載された機器にはＬＣＤの表示面を保護するための保護パネルが両面接着テープ等で固定されている。ＬＣＤや保護パネルが損傷した場合には、両面接着テープの接着部分で保護パネルを剥がし、パネル等の交換等の補修が行われる。保護パネル等のパネル剥がしには接着部分でパネルを剥がすための治工具が用いられる。
【０００３】
このようなパネル剥がしの治工具に関し、特許文献１には、粘着テープの側縁部分に刃先をスライドさせながら圧入することで粘着テープの１部分を剥離させる粘着テープ用除去工具が開示されている。
【０００４】
また、特許文献２には、被着体に接触して回転するベルトの被着体との接触部を先細にし、ベルトを回転させながら先細のベルトの先端部を被着体に押しつけ、被着体との接触位置におけるベルトの回転方向と同方向に剥離工具を移動させ、被着体から粘着部品を丸めながら剥離することが開示されている。
【特許文献１】実用新案登録第３１０５６０７号公報（要約、図１等）
【特許文献２】特開２００３−１７１０６０公報（要約、図１等）
【発明の開示】
【発明が解決しようとする課題】
【０００５】
ところで、携帯電話機等のＬＣＤ保護パネルを備える機器からそのパネルを剥がすには、パネルと機器本体との間の接着部分にヘラを差し込み、そのヘラをパネルに沿って移動させる手作業により行われている。このようなヘラを用いた手作業では、熟練や器用さ等の作業者の技量によって作業能率が大きく異なるのみならず、作業者の力加減やパネルの接着強度等によりパネルの割れ、作業者の怪我、差し込まれたヘラによるＬＣＤ側のガラス面の損傷等を生じ、作業性や安全性に欠け、安定した作業を行えないという不都合があった。
【０００６】
このような課題について、特許文献１、２にはその開示や示唆はなく、斯かる課題は特許文献１、２に開示された治工具を用いても解決することができない。
【０００７】
そこで、本発明の目的は、機器のパネル剥がしに用いられるパネル剥がし治具に関し、作業効率、作業性の安定化、作業の安全性を高めることである。
【０００８】
また、本発明の他の目的は、機器のパネル剥がしに用いられるパネル剥がし方法に関し、作業効率、作業性の安定化、作業の安全性を高めることである。
【課題を解決するための手段】
【０００９】
上記目的を達成するため、本発明は、機器のパネル剥がしに用いられるパネル剥がし治具又はその治具を用いたパネル剥がし方法であって、治具本体に設置される携帯電話機等の機器のパネルと機器本体との間の接着部分にスライサを食い込ませ、パネルに沿ってガイドレール上を移動させることにより、機器からパネルを剥離させる構成である。斯かる構成により、上記目的が達成される。
【００１０】
そこで、上記目的を達成するため、本発明の第１の側面は、機器のパネル剥がしに用いられるパネル剥がし治具であって、パネルを備える機器を設置する治具本体と、前記治具本体に設置される前記機器の前記パネルの周縁の少なくとも一部に沿って前記治具本体に形成されたガイドレールと、前記治具本体に設置された前記機器の前記パネルと機器本体側との間に食い込ませて前記ガイドレール上を移動し、前記機器から前記パネルを剥離させるスライサとを備える構成である。
【００１１】
斯かる構成によれば、機器のパネルと機器本体側との間に食い込ませたスライサの移動軌跡がパネルの周縁の少なくとも一部に沿って形成されているガイドレールにより規制され、スライサの移動により、機器からパネルを剥離させることができる。
【００１２】
上記目的を達成するためには、上記パネル剥がし治具において、好ましくは、前記スライサは、前記ガイドレールを移動させる軸部に回転可能な剥離刃を備える構成としてもよい。斯かる構成によれば、スライサの移動により、前記パネルと機器本体側との間に食い込ませた剥離刃が回転するので、剥離刃に作用する摩擦が軽減され、機器からパネルを滑らかに剥離させることができる。
【００１３】
上記目的を達成するためには、上記パネル剥がし治具において、好ましくは、治具本体に設置された機器に重ねられて前記治具本体に固定され、前記機器を前記治具本体上に拘束させる拘束治具を備える構成としてもよい。斯かる構成によれば、機器が治具本体に固定されているので、スライサの移動の際に機器の移動がなく、機器からパネルを滑らかに剥離させることができる。
【００１４】
上記目的を達成するためには、上記パネル剥がし治具において、好ましくは、治具本体に設置された前記機器の前記パネル上に接着して固定され、前記パネル上に線状の支点を備えて前記パネルに剥離力を付与し、前記スライサを食い込ませる部分の前記パネルの一部を前記機器本体から剥離させる補助治具を備える構成としてもよい。斯かる構成によれば、補助治具で機器からパネルの一部を剥離させ、その剥離部分にスライサを挿入させることができ、剥離を速やかに行うことができる。
【００１５】
また、上記目的を達成するため、本発明の第２の側面は、機器のパネル剥がしに用いられるパネル剥がし方法であって、上記パネル剥がし治具を用いて前記機器からパネルを剥がす工程を含む構成である。
【００１６】
斯かる構成によれば、機器のパネルと機器本体側との間に食い込ませたスライサの移動軌跡がパネルの周縁の少なくとも一部に沿って形成されているガイドレールにより規制されるので、スライサを移動させることにより、機器からパネルを容易かつ効率的に剥離させることができる。
【発明の効果】
【００１７】
本発明によれば、次のような効果が得られる。
【００１８】
ａ．ＬＣＤ保護パネル等のパネルを携帯電話機等の機器から簡単かつ安全に、迅速に剥がすことができ、パネル剥がしの作業効率、作業性の安定化、作業の安全性を高めることができる。
【００１９】
ｂ．パネル剥がしの際にパネルの損傷や機器側の部品の不良の発生等を防止できる。
【００２０】
ｃ．機器のパネルと機器本体との間にスライサを食い込ませ、スライサをパネルに沿ってガイドレール上を移動させるだけで、機器からパネルを剥離させることができ、剥離作業の簡単化とともに安全性が高められる。
【発明を実施するための最良の形態】
【００２１】
本発明の実施の形態について、図１、図２、図３、図４、図５、図６及び図７を参照する。図１は、パネル剥がし治具の一例を示す斜視図、図２は、パネル剥がしの対象である携帯電話機を示す図、図３は、図２のIII −III 線断面図、図４は、拘束治具が取り付けられた治具本体を上側から見て示した図、図５は、治具本体を拘束治具側から見て示した図、図６は、治具本体をスライサの退避部側から見て示した図、図７は、図１中の拘束治具のVII −VII 線断面図である。
【００２２】
パネル剥がし治具２は、図１に示すように、治具本体４と、治具本体４上にパネル剥がしの対象機器として例えば、携帯電話機６（図２）を拘束する拘束治具８と、治具本体４上の携帯電話機６からパネル１０（図２）を予備的に剥離させる補助治具１２とを備える。
【００２３】
また、パネル剥がしの対象の一例である携帯電話機６は、図２に示すように、機器本体として操作部側の筐体部１４と、表示部側の筐体部１６とを備え、筐体部１４、１６をヒンジ部１８によって開閉可能に構成されている。筐体部１６側には、図３に示すように、ＬＣＤ素子２０が搭載され、パネル１０が接着剤として例えば、両面接着シート２２で接着、固定されている。
【００２４】
そこで、パネル剥がし治具２の治具本体４は、図１及び図４に示すように、前面板２４と背面板２６とを複数のねじ２８によって結合した板状体であって、前面板２４及び背面板２６はアルミニウム板等の金属板、剛性の高い合成樹脂板等で形成される。この治具本体４には、携帯電話機６（図１２）が載置されて位置決めされる載置部３０と、載置部３０の周囲部に形成されたガイドレール３２と、拘束治具８を着脱させるための着脱部３４、３６とが形成されているとともに、ガイドレール３２を移動するスライサ３８が設置されている。
【００２５】
載置部３０は、携帯電話機６の機器本体の一部を収納させる窪みであって、第１及び第２の凹部４０、４２及び縁部４４を備える。凹部４０は、携帯電話機６の機器本体として例えば、表示部側の筐体部１６（図１２）に対応し、凹部４２は操作部側の筐体部１４に対応し、それぞれの外観形状を包含する相似形であり、縁部４４はヒンジ部１８に隣接する窪みに対応する。
【００２６】
ガイドレール３２は、載置部３０の凹部４０側の周囲部を包囲するように形成され、スライサ３８を摺動可能にしかも垂直状態に支持する支持手段であるとともに、スライサ３８の移動経路を規制するガイド手段であって、ガイドレール３２の始端及び終端には、スライサ３８をパネル１０の剥離位置から退避させる退避部５２がガイドレール３２を治具本体４の幅方向に延長させて形成されている。
【００２７】
拘束治具８は、載置部３０に載置された携帯電話機６を治具本体４に拘束する拘束手段であって、具体的には、載置部３０に載置された携帯電話機６を凹部４２側で治具本体４に拘束する。拘束治具８はスライサ３８の移動を妨げることなく、作業者が例えば、左手で拘束治具８を押え、スライサ３８を右手で操作することを可能にする。
【００２８】
そこで、この拘束治具８には、カバー部５４と、脚部５６、５８と、押え突部６０とを備えている。カバー部５４は、治具本体４と平行に設置される面部であって、ほぼ台形状であり、携帯電話機６の幅より広い幅を備えている。脚部５６、５８は、着脱部３４、３６に挿入されるとともに、着脱部３４、３６に係合させる係合爪部６２を備えている。着脱部３４、３６には、脚部５６、５８及び係合爪部６２を通過させるために開口面積の広い挿入部６４（図４）が形成され、この挿入部６４に連続して形成された係合溝部６６を備えている。挿入部６４に挿入された脚部５６、５８及び係合爪部６２を係合溝部６６側に移動させると、係合爪部６２が係合溝部６６に係合し、拘束治具８が治具本体４に固定される。また、カバー部５４は、治具本体４上の携帯電話機６のヒンジ部１８に置かれ（図１４、図１５）、その携帯電話機６の移動を阻止する。
【００２９】
また、拘束治具８が携帯電話機６の上に設置されることから、拘束治具８には、図７に示すように、カバー部５４及び押え突部６０の内面側には弾性合成樹脂等の弾性部材によって形成された弾性層６８が形成されている。この弾性層６８により、携帯電話機６の外観の保護が図られる。
【００３０】
補助治具１２は例えば、三角柱状であって、下面部に接着層７０が形成されるとともに、下縁部７２が梃子の支点を形成する。接着層７０はパネル１０に対する接着手段として例えば、両面接着シートで形成されている。パネル１０の剥離開始位置側に接着して立設させた補助治具１２に下縁部７２を支点にして回動力を付与すれば、補助治具１２に接着しているパネル１０の角部が引き剥がされて浮き上がらせることができる。
【００３１】
次に、パネル剥がし治具２のスライサ３８について、図８、図９及び図１０を参照する。図８は、図４のVIII−VIII線断面図、図９は、スライサを示す分解斜視図、図１０は、治具本体のスライサ部分を示す拡大断面図である。図８、図９及び図１０において、図１ないし図７と同一部分には同一符号を付してある。
【００３２】
スライサ３８は、図８に示すように、ガイドレール３２に設置されて摺動可能に治具本体４に支持され、その移動によってパネル１０を剥がす治具である。
【００３３】
そこで、図９に示すように、スライサ３８は支持軸７４と、剥離刃７６と、ハンドル部７８とを備えている。支持軸７４は同径のフラットな軸部８０と、軸部８０の下端側に径大かつ偏平な柱状のフランジ部８２と、軸部８０の上端側に円周方向に形成された溝部８４とを備え、例えば、ステンレス等の金属で形成されている。溝部８４には固定手段である固定リング８５が取り付けられる。固定リング８５には例えば、ＥリングやＣリングを用いればよい。
【００３４】
剥離刃７６は、円盤状の刃部８６と、刃部８６を軸部８０に対して直交方向（即ち、水平方向）に維持するための軸受部８８とを備え、例えば、ステンレス等の金属で形成される。刃部８６は、図１０に示すように、下面側をフラット面９０に形成され、上面側を傾斜面９２として周縁を先鋭に形成されている。また、軸受部８８には軸部８０より僅かに径大な軸受孔９４が形成され、この軸受孔９４に軸部８０を貫通させ、剥離刃７６が軸受孔９４により回転可能に軸部８０に支持される。
【００３５】
また、ハンドル部７８は例えば、同径の円筒体であって、軸部８０の外径より僅かに大きい貫通孔９６が形成され、軸部８０に取り付けられる。このハンドル部７８も例えば、ステンレス等の金属で形成される。
【００３６】
そして、ガイドレール３２は、図１０に示すように、前面板２４の上面側に支持軸７４の軸部８０を摺動させるための溝部９８が形成されるとともに、前面板２４の下面側にフランジ部８２を移動させるための溝部１００が形成され、溝部１００は背面板２６によって閉じられている。
【００３７】
そこで、ガイドレール３２に立設された支持軸７４の軸部８０には剥離刃７６及びハンドル部７８が重ねられて取り付けられ、軸部８０の溝部８４に固定リング８５が固定されている。従って、剥離刃７６の軸受部８８は治具本体４の前面板２４に載せられて摺動し、剥離刃７６及びハンドル部７８が軸部８０に支持されて回転可能であり、かつ、支持軸７４はガイドレール３２上を移動可能である。
【００３８】
次に、パネルのパネル剥がしの工程について、図１１、図１２、図１３、図１４、図１５、図１６、図１７、図１８、図１９、図２０、図２１及び図２２を参照する。図１１ないし図２２は、パネルのパネル剥がし方法の一例である工程を示し、図１１は、治具本体、携帯電話機、拘束治具及び補助治具を示す斜視図、図１２は、携帯電話機が載置された治具本体を示す断面図、図１３は、拘束治具への治具本体の装着を示す図、図１４は、拘束治具で治具本体に拘束された携帯電話機を示す図、図１５は、図１４のXV−XV線断面図、図１６は、図１４のXVI −XVI 線断面図、図１７は、補助治具が設置された治具本体上の携帯電話機を示す斜視図、図１８は、補助治具が設置された治具本体上の携帯電話機を示す図、図１９は、パネルと補助治具との関係を示す図、図２０は、補助治具によるパネル剥がし及びスライサの挿入状態を示す図、図２１は、スライサの移動を示す図、図２２は、携帯電話機から引き剥がされたパネル及び携帯電話機を示す図である。図１１ないし図２２において、図１ないし図１０と同一部分には同一符号を付してある。
【００３９】
このパネル剥がし方法では、治具本体４に対する携帯電話機６の設置及び固定工程、携帯電話機６に対するスライサ３８の挿入工程、スライサ３８を移動するパネル剥がし工程を含んでいる。
【００４０】
Ａ）携帯電話機６の設置及び固定工程
【００４１】
図１１に示すように、パネル剥がしの対象である携帯電話機６は治具本体４の載置部３０に載置され、拘束治具８は携帯電話機６の上から治具本体４に取り付けられ、補助治具１２は携帯電話機６のパネル１０上に固定される。携帯電話機６は図１２に示すように、載置部３０の凹部４０側に携帯電話機６の筐体部１６、凹部４２側に筐体部１４がそれぞれ位置決めされて設置される。このとき、スライサ３８はガイドレール３２の退避部５２側に退避させておけばよい。
【００４２】
治具本体４には、図１３に示すように、載置部３０に載置された携帯電話機６の上面部側から拘束治具８が重ねられ、拘束治具８の脚部５６、５８が治具本体４の着脱部３４、３６の挿入部６４に挿入される。図１３において、拘束治具８を挿入状態で矢印Ａ方向に移動させると、脚部５６、５８は、図１４に示すように、係合溝部６６に移動させることができ、携帯電話機６は図１５に示すように、治具本体４の載置部３０上に拘束される。
【００４３】
この拘束状態について、図１６を参照する。図１６に示すように、拘束治具８の脚部５６、５８の各係合爪部６２は、係合爪部６２を挿入させる係合溝部６６の内部に拘束され、携帯電話機６の上方向への移動を阻止する。このため、パネル剥がしが可能な状態に携帯電話機６が治具本体４に維持される。即ち、携帯電話機６は、拘束治具８による治具本体４からの上方移動の阻止と、載置部３０の凹部４０、４２に筐体部１４、１６が嵌め込まれることによる水平移動の阻止の２面方向からの阻止により、安定した固定状態が維持される。
【００４４】
治具本体４に固定された携帯電話機６のパネル１０に対し、図１７に示すように、補助治具１２が取り付けられ、この補助治具１２は、図１８に示すように、その角部をパネル１０の剥がし開始部側の角部に合わせ、即ち、下縁部７２をパネル１０の中心側の対角線方向に維持させてパネル１０の上面に固定させる。
【００４５】
Ｂ）スライサ３８の挿入工程（部分的なパネル剥がしの工程）
【００４６】
スライサ３８の挿入工程は、補助治具１２を以てパネル１０を携帯電話機６の機器本体である筐体部１６から僅かに引き剥がすとともに、スライサ３８を退避部５２から移動させ、パネル１０の引き剥がし部分に剥離刃７６を進入させる工程である。
【００４７】
図１９に示すように、パネル１０に固定された補助治具１２の下縁部７２は、パネル１０のほぼ対角線Ｏ、Ｏ’上に維持されるので、作業者が補助治具１２を例えば、左手で掴み、携帯電話機６側に押し付けながら対角線Ｏ、Ｏ’に合致している下縁部７２を支点として梃子の要領で矢印Ｂ方向に傾斜させる力を加えると、補助治具１２が固定されているパネル１０は、図２０に示すように、携帯電話機６の筐体部１６から部分的に角部が剥離する。筐体部１６とパネル１０との角度θは、作業者が補助治具１２に加える力に依存する。
【００４８】
そこで、作業者は、ガイドレール３２の退避部５２に退避させていたスライサ３８を例えば、右手で操作して携帯電話機６側に移動させ、図２０に示すように、その剥離刃７６の先端部を携帯電話機６の筐体部１６とパネル１０との間に挿入させる。剥離刃７６を挿入させた後は、補助治具１２に加えていた力を解除してもスライサ３８の挿入状態が維持され、スライサ３８の剥離刃７６は楔と同様の機能を呈し、その剥離刃７６により、パネル１０は部分的に浮き上がった状態となる。
【００４９】
ところで、スライサ３８の剥離刃７６の下面と治具本体４の上面との間隔をｈ1 、治具本体４から突出する携帯電話機６の筐体部１６の突出高さをｈ2 とすれば、これらの大小関係はｈ1 ＞ｈ2 に設定されており、しかも、筐体部１６の突出高さｈ2 はスライサ３８の移動範囲で同一に設定されているので、スライサ３８が移動しても、剥離刃７６が筐体部１６に接触することはない。即ち、スライサ３８の剥離刃７６と筐体部１６との間には、間隔Δｈ（＝ｈ1 −ｈ2 ）が設定されているので、剥離刃７６と筐体部１６とが接触することはなく、筐体部１６がスライサ３８によって損傷することはない。
【００５０】
Ｃ）スライサ３８の移動工程（全面的なパネル剥がしの工程）
【００５１】
筐体部１６とパネル１０との間に剥離刃７６を挿入させたスライサ３８は、図２１に示す矢印Ｃ方向に移動させれば、筐体部１６からパネル１０を剥離させることができる。
【００５２】
この場合、パネル１０側には両面接着シート２２が付着しており、この両面接着シート２２が剥離刃７６に付着するが、剥離刃７６がステンレス等の金属であるため、両面接着シート２２との接着性が低く、しかも、剥離刃７６はスライサ３８の支持軸７４上で回転可能であるから、スライサ３８の移動に伴って回転するので、スライサ３８の移動が妨げられることはない。スライサ３８がガイドレール３２を移動し、終端部側の退避部５２に移動すると、図２２に示すように、治具本体４にある携帯電話機６の筐体部１６からパネル１０が補助治具１２とともに分離される。作業者は、補助治具１２を掴み、パネル１０を筐体部１６から離脱させることができる。
【００５３】
筐体部１６から離脱させたパネル１０には補助治具１２が一体化されているので、補助治具１２によってパネル１０を操作することができ、パネル１０単体の操作に比較し、その取扱いが容易になるとともに、筐体部１６から露出しているＬＣＤ素子２０のガラス面を間接的に防護することができる。
【００５４】
以上述べたパネル剥がし治具２及びパネル剥がし方法について、その特徴事項や利点を列挙すれば、次の通りである。
【００５５】
(1) パネル１０を携帯電話機６の筐体部１６から簡単かつ安全に、迅速に剥がすことができ、パネル剥がしの作業効率、作業性の安定化、作業の安全性が高められる。
【００５６】
(2) パネル剥がしに対する作業者の技量や熟練に影響を受けることなく、一定の作業効率が得られる。
【００５７】
(3) パネル剥がしの際にパネル１０の損傷や携帯電話機６側のＬＣＤ素子２０の不良の発生等を防止できる。
【００５８】
(4) 携帯電話機６のパネル１０と機器本体である筐体部１６との間にスライサ３８の剥離刃７６を食い込ませ、スライサ３８をパネル１０に沿ってガイドレール３２上を移動させるだけで、筐体部１６からパネル１０を剥離させることができ、剥離作業の簡単化とともに安全性が高められる。
【００５９】
(5) 拘束治具８には携帯電話機６と接触する部分に弾性層６８が備えられているので、拘束治具８によって拘束される携帯電話機６は、弾性層６８によって傷等の損傷から防護される。
【００６０】
(6) 治具本体４の載置部３０には、携帯電話機６等の機器を防護する弾性層を設置してもよい。
【００６１】
〔他の実施の形態等〕
【００６２】
上記実施の形態に対し、他の実施の形態や変形例を以下に列挙する。
【００６３】
(1) 上記実施の形態では、パネル剥がし対象として携帯電話機６を例示したが、引き剥がし可能なパネルを備える機器であればよく、引き剥がし対象には携帯情報端末機（ＰＤＡ：Personal Digital Assistant）や、パーソナルコンピュータ、ゲーム機器等の各種機器にも本発明を適用することができる。
【００６４】
(2) 上記実施の形態では、載置部３０が凹部４０、４２で構成されているが、治具本体４の上面に立壁（突部）を設けて携帯電話機６等の機器を載置する構成としてもよい。
【００６５】
(3) 拘束治具８について、上記実施の形態では、治具本体４に着脱可能に拘束治具８を設置したが、治具本体４に拘束治具８を固定状態で開閉可能にし、その拘束治具８と治具本体４との間に携帯電話機６等の機器を挿入し、拘束する構成としてもよい。
【００６６】
(4) 補助治具１２とパネル１０との接着に両面接着シートを用いたが、他の接着手段を用いてもよい。
【００６７】
次に、以上述べた本発明の実施の形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【００６８】
（付記１）  機器のパネル剥がしに用いられるパネル剥がし治具であって、
パネルを備える機器を設置する治具本体と、
前記治具本体に設置される前記機器の前記パネルの周縁の少なくとも一部に沿って前記治具本体に形成されたガイドレールと、
前記治具本体に設置された前記機器の前記パネルと機器本体側との間に食い込ませて前記ガイドレール上を移動し、前記機器から前記パネルを剥離させるスライサと、
を備えることを特徴とするパネル剥がし治具。
【００６９】
（付記２）  付記１のパネル剥がし治具において、
前記スライサは、前記ガイドレールを移動させる軸部に回転可能な剥離刃を備えることを特徴とするパネル剥がし治具。
【００７０】
（付記３）  付記２のパネル剥がし治具において、
前記軸部は、前記ガイドレールに移動可能に支持されていることを特徴とするパネル剥がし治具。
【００７１】
（付記４）  付記１のパネル剥がし治具において、
前記ガイドレールは、前記パネルの位置から前記スライサを移動させて退避させる退避部を備えることを特徴とするパネル剥がし治具。
【００７２】
（付記５）  付記１のパネル剥がし治具において、
前記治具本体は、前記機器本体の少なくとも一部を嵌合させて載置する凹部を備えることを特徴とするパネル剥がし治具。
【００７３】
（付記６）  付記１のパネル剥がし治具において、
治具本体に設置された機器に重ねられて前記治具本体に固定され、前記機器を前記治具本体上に拘束させる拘束治具を備えることを特徴とするパネル剥がし治具。
【００７４】
（付記７）  付記１のパネル剥がし治具において、
治具本体に設置された前記機器の前記パネル上に接着して固定され、前記パネル上に線状の支点を備えて前記パネルに剥離力を付与し、前記スライサを食い込ませる部分の前記パネルの一部を前記機器本体から剥離させる補助治具を備えることを特徴とするパネル剥がし治具。
【００７５】
（付記８）  付記１のパネル剥がし治具において、
前記機器本体と前記パネルとが両面接着シートで接着されている機器のパネル剥がしに用いられることを特徴とするパネル剥がし治具。
【００７６】
（付記９）  付記１のパネル剥がし治具において、
前記スライサは、前記ガイドレールを移動させるハンドル部を備えることを特徴とするパネル剥がし治具。
【００７７】
（付記１０）  付記１のパネル剥がし治具において、
前記スライサは、剥離刃を回動可能に支持する軸部と、前記ガイドレールに支持させるフランジ部とを備えることを特徴とするパネル剥がし治具。
【００７８】
（付記１１）  付記１０のパネル剥がし治具において、
前記ガイドレールは、前記軸部を移動させる第１の溝部と、前記フランジ部を移動させる第２の溝部とを備えることを特徴とするパネル剥がし治具。
【００７９】
（付記１２）  機器のパネル剥がしに用いられるパネル剥がし方法であって、
付記１ないし付記１１に記載のパネル剥がし治具を用いて前記機器からパネルを剥がす工程を含むことを特徴とするパネル剥がし方法。
【００８０】
以上説明したように、本発明の最も好ましい実施の形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【００８１】
本発明は、機器のパネル剥がしに用いられるパネル剥がし治具及びパネル剥がし方法に関し、ＬＣＤ保護パネル等のパネルを携帯電話機等の機器から簡単かつ安全に、迅速に行うことができ、パネル剥がしの作業効率、作業性の安定化、作業の安全性を高めることができ、パネル剥がしの際にパネルの損傷や機器側の部品の不良の発生等を防止できる等、有用である。
【図面の簡単な説明】
【００８２】
【図１】本発明のパネル剥がし治具の一例を示す斜視図である。
【図２】携帯電話機を示す図である。
【図３】図２のIII −III 線断面図である。
【図４】拘束治具が取り付けられた治具本体を上から見て示した図である。
【図５】拘束治具が取り付けられた治具本体を拘束治具側から見て示した図である。
【図６】拘束治具が取り付けられた治具本体をスライサの退避部側から見て示した図である。
【図７】図１に示す拘束治具のVII −VII 線断面図である。
【図８】図４のVIII−VIII線断面図である。
【図９】スライサを示す分解斜視図である。
【図１０】治具本体のスライサ部分を示す断面図である。
【図１１】治具本体、携帯電話機、拘束治具及び補助治具を示す斜視図である。
【図１２】携帯電話機が設置された治具本体を示す断面図である。
【図１３】携帯電話機上から拘束治具を設置した治具本体を示す図である。
【図１４】拘束治具で携帯電話機を拘束した治具本体を示す図である。
【図１５】図１４のXV−XV線断面図である。
【図１６】図１４のXVI −XVI 線断面図である。
【図１７】治具本体上の携帯電話機に補助治具を設置した状態を示す図である。
【図１８】携帯電話機上に補助治具を設置した状態を示す図である。
【図１９】パネルに対する補助治具の位置を示す図である。
【図２０】補助治具によるパネル剥がし及びスライサの挿入状態を示す図である。
【図２１】スライサによるパネル剥がしを示す図である。
【図２２】パネルが引き剥がされた携帯電話機及びそのパネルを示す断面図である。
【符号の説明】
【００８３】
２  パネル剥がし治具
４  治具本体
６  携帯電話機
８  拘束治具
１０  パネル
１２  補助治具
１４、１６  筐体部
１８  ヒンジ部
３２  ガイドレール
３８  スライサ
７４  支持軸
７６  剥離刃
７８  ハンドル部
８０  軸部
【図１】
2008304844.tif 000003
【図２】
2008304844.tif 000004
【図３】
2008304844.tif 000005
【図４】
2008304844.tif 000006
【図５】
2008304844.tif 000007
【図６】
2008304844.tif 000008
【図７】
2008304844.tif 000009
【図８】
2008304844.tif 000010
【図９】
2008304844.tif 000011
【図１０】
2008304844.tif 000012
【図１１】
2008304844.tif 000013
【図１２】
2008304844.tif 000014
【図１３】
2008304844.tif 000015
【図１４】
2008304844.tif 000016
【図１５】
2008304844.tif 000017
【図１６】
2008304844.tif 000018
【図１７】
2008304844.tif 000019
【図１８】
2008304844.tif 000020
【図１９】
2008304844.tif 000021
【図２０】
2008304844.tif 000022
【図２１】
2008304844.tif 000023
【図２２】
2008304844.tif 000024